(57)【要約】【課題】レバーを台座へ向けて付勢する付勢部の劣化が生じにくいイヤリングを提供する。【解決手段】イヤリング１０は、第１端９１から第１向き１０１へ延びた第１部分６０、及び第１部分６０の第２端９２と連続しており第２向き１０２へ延びた第２部分７０を有する台座２０と、第２部分７０の第３端９３側において第２部分７０によって回動可能に支持されており、回動先端部３０Ａが第１端９１に近接した第１位置、及び第１位置のときよりも回動先端部３０Ａが第１端９１から離間した第２位置に回動可能なレバー３０と、レバー３０を第１位置へ付勢する付勢部４０とを備える。レバー３０は、外部から力が作用していない状態において、回動可能な何れの位置にあっても付勢部４０の板バネ部３６に付勢されることによって第１位置へ回動する。【選択図】図１
2019098161.tif 000002
【特許請求の範囲】
【請求項１】
第１端から第１向きへ延びた第１部分、及び上記第１部分における上記第１端と反対側の第２端と連続しており上記第１向きと異なる向きへ延びた第２部分を有する台座と、
上記第２部分における上記第２端と反対側の第３端側において上記第２部分によって回動可能に支持されており、回動先端部が上記第１端に近接した第１位置、及び上記第１位置のときよりも上記回動先端部が上記第１端から離間した第２位置に回動可能なレバーと、
上記レバーを上記第１位置へ付勢する付勢部と、を備え、
上記レバーは、外部から力が作用していない状態において、回動可能な何れの位置にあっても上記付勢部に付勢されることによって上記第１位置へ回動するイヤリング。
【請求項２】
上記付勢部は、
上記レバーに設けられており、上記第２部分の上記第３端へ向けて延びた板バネ部と、
上記第２部分の上記第３端の近傍に形成されており、上記レバーの回動軸線を中心とする円の径方向の外側を向いており、上記板バネ部が当接する当接面と、を備え、
上記板バネ部は、上記レバーの上記第１位置から上記第２位置へ向けての回動に応じて、上記当接面に対して摺動しつつ上記当接面からの反作用によって撓むものであり、
上記付勢部は、撓んだ上記板バネ部の弾性によって、上記レバーを上記第１位置へ付勢するものである請求項１に記載のイヤリング。
【請求項３】
上記板バネ部は、上記レバーの上記第１位置から上記第２位置への回動向きへ膨らむように湾曲している請求項２に記載のイヤリング。
【請求項４】
上記第２部分または上記レバーの一方は、
上記レバーの回動軸線の軸方向に対向した一対の第１板部と、
上記回動軸線を中心とする円の周方向の９０度以上に亘って上記一対の第１板部を繋いでいる第２板部と、を備え、
上記第２部分または上記レバーの他方は、
上記一対の第１板部の間に位置しており、上記レバーの回動軸線上を上記一対の第１板部の一方から他方に亘って隙間なく延びた第３板部を備え、
上記一対の第１板部の各々に、上記軸方向へ突出した突起または上記突起が挿入される開口の一方が形成されており、
上記第３板部における上記一対の第１板部の一方と対向する面と、上記第３板部における上記一対の第１板部の他方と対向する面との各々に、上記突起または上記開口の他方が形成されており、
上記レバーは、上記突起が上記開口に挿入されることによって、上記第２部分に回動可能に支持されている請求項１から３のいずれかに記載のイヤリング。
【請求項５】
上記台座または上記レバーの少なくとも一方は、上記レバーの上記第１位置から上記第２位置へ向けての回動を、上記第１位置及び上記第２位置の間の第３位置で規制するストッパを備える請求項１から４のいずれかに記載のイヤリング。
【請求項６】
上記第２部分は、上記第２端からＵターンするように延びたを湾曲部を備え、
上記レバーは、上記第２部分における上記第１向きの端よりも上記第１向きと逆向き側の位置において、上記第２部分によって回動可能に支持されている請求項１から５のいずれかに記載のイヤリング。
【請求項７】
上記第２部分は、上記湾曲部における上記第２端と反対側の端から、上記第１向きと平行の向き、または上記第３端へ向かうにしたがって上記第１部分に近づく向きに延びた延出部を備え、
上記レバーは、上記延出部によって回動可能に支持されている請求項６に記載のイヤリング。
【請求項８】
上記付勢部の少なくとも一部は、上記レバーに設けられており、
上記レバーは、ポリアセタール製である請求項１から７のいずれかに記載のイヤリング。
【請求項９】
上記台座は、ポリエチレンテレフタレート製である請求項１から８のいずれかに記載のイヤリング。
【請求項１０】
上記第１部分は、上記レバーと反対側へ突出した突出部を備える請求項１から９のいずれかに記載のイヤリング。
【請求項１１】
上記第１部分は、上記レバーと反対側の面に凹部を備え、
上記凹部は、球面によって区画されており、
上記突出部は、上記球面の最深部から突出している請求項１０に記載のイヤリング。
【請求項１２】
上記第１部分は、貫通孔を備える請求項１から１１のいずれかに記載のイヤリング。
【請求項１３】
上記第１部分は、上記第１端の近傍における上記レバー側の面に第１凸部を備え、
上記レバーは、上記回動先端部における上記第１部分側の面に第２凸部を備え、
上記レバーが上記第１位置の状態において、上記第２凸部は、上記第１凸部の先端より上記第１端側で上記第１部分に当接する請求項１から１２のいずれかに記載のイヤリング。
【請求項１４】
上記台座は、透明である請求項１から１３のいずれかに記載のイヤリング。
【請求項１５】
上記レバーは、透明である請求項１から１４のいずれかに記載のイヤリング。
【請求項１６】
上記第１部分は、上記第１部分の他の部分よりも幅広である第４板部を備え、
上記第４板部における上記レバーとは反対側の面は平面である請求項１から１５のいずれかに記載のイヤリング。
【請求項１７】
上記レバーは、上記レバーの回動基端へ向かうにしたがって上記回動軸の軸方向に沿った長さが短くなるテーパ部を備える請求項１から１６のいずれかに記載のイヤリング。
【発明の詳細な説明】
【技術分野】
【０００１】
本発明は、耳たぶを挟持することによって耳に装着するイヤリングに関する。
【背景技術】
【０００２】
耳たぶを挟持することによって耳に装着するイヤリングには、様々な形状のものがある。このようなイヤリングは、台座と、台座に回動可能に支持されたレバーとを備えている。レバーは、台座に対して、台座に近づいた近接位置と、台座から離れた離間位置とに回動する。イヤリングのユーザは、レバーを離間位置にした状態で、台座とレバーとの間に耳たぶが位置するように、イヤリングを耳に近づける。そして、レバーを離間位置から近接位置へ回動させる。これにより、イヤリングは耳に装着される。
【０００３】
通常、上記のようなイヤリングにおいて、レバーは、板バネなどの付勢部によって近接位置へ向かうように付勢されている。
【０００４】
また、通常、上記のようなイヤリングにおいて、レバーは、離間位置にまで回動されると、離間位置に保持された状態となる。例えば、特許文献１に開示されたイヤリングは、半開きの状態を維持する（特許文献１の図１参照）。また、例えば、特許文献２に開示されたイヤリングは、耳たぶ受け部２および耳たぶ挟持部３の間に耳たぶを配置したまま、アーム部３２を、耳たぶを挟持する方向へ回動するように一定の力を加えると、板バネの弾性により自動的に力を加えた方向へ回動し、耳たぶが挟持される。つまり、耳たぶ挟持部３は、アーム部３２に一定の力を加えない限り、耳たぶ受け部２との間に間隔を空けた位置に保持される（特許文献の図２参照）。
【先行技術文献】
【特許文献】
【０００５】
【特許文献１】実開平６−６４５１１号公報
【特許文献２】特開２０１３−１７６６３２号公報
【発明の概要】
【発明が解決しようとする課題】
【０００６】
通常、レバーを離間位置に保持するイヤリングでは、レバーに設けられた板バネなどの付勢部が台座に形成された凸部を乗り越えることによって、レバーを離間位置に保持する機能が実現されている。このようなイヤリングでは、付勢部が凸部を乗り越える際に、凸部から付勢部に大きな力が作用する。そのため、レバーの回動が繰り返されることによって付勢部の劣化が生じ易い。例えば、凸部からの力の作用で付勢部が変形してしまい、付勢部の付勢力（詳細にはレバーを近接位置へ付勢する付勢力）が弱くなってしまうおそれがある。また、例えば、凸部からの力の作用で付勢部が破損してしまうおそれがある。
【０００７】
本発明は、前述された事情に鑑みてなされたものであり、その目的は、レバーを台座へ向けて付勢する付勢部の劣化が生じにくいイヤリングを提供することにある。
【課題を解決するための手段】
【０００８】
(1) 本発明に係るイヤリングは、第１端から第１向きへ延びた第１部分、及び上記第１部分における上記第１端と反対側の第２端と連続しており上記第１向きと異なる向きへ延びた第２部分を有する台座と、上記第２部分における上記第２端と反対側の第３端側において上記第２部分によって回動可能に支持されており、回動先端部が上記第１端に近接した第１位置、及び上記第１位置のときよりも上記回動先端部が上記第１端から離間した第２位置に回動可能なレバーと、上記レバーを上記第１位置へ付勢する付勢部と、を備える。上記レバーは、外部から力が作用していない状態において、回動可能な何れの位置にあっても上記付勢部に付勢されることによって上記第１位置へ回動する。
【０００９】
本構成によれば、レバーは、外部から力が作用していない状態において、回動可能な何れの位置にあっても付勢部に付勢されることによって第１位置へ回動する。そのため、レバーが第２位置に保持されるようにイヤリングが構成されている場合よりも、レバーが回動する際に付勢部へ作用する力を小さくすることができる。その結果、付勢部の劣化を生じにくくすることができる。
【００１０】
(2) 上記付勢部は、上記レバーに設けられており、上記第２部分の上記第３端へ向けて延びた板バネ部と、上記第２部分の上記第３端の近傍に形成されており、上記レバーの回動軸線を中心とする円の径方向の外側を向いており、上記板バネ部が当接する当接面と、を備える。上記板バネ部は、上記レバーの上記第１位置から上記第２位置へ向けての回動に応じて、上記当接面に対して摺動しつつ上記当接面からの反作用によって撓むものである。上記付勢部は、撓んだ上記板バネ部の弾性によって、上記レバーを上記第１位置へ付勢するものである。
【００１１】
本構成によれば、付勢部の機能を簡単な構成で実現することができる。
【００１２】
(3) 上記板バネ部は、上記レバーの上記第１位置から上記第２位置への回動向きへ膨らむように湾曲している。
【００１３】
本構成によれば、レバーの第１位置から第２位置へ向けての回動に応じて板バネ部が撓むとき、板バネ部は湾曲を解消するように撓む。換言すると、板バネ部は、湾曲した状態から真っ直ぐ延びた状態となるように撓む。通常、板バネ部は、湾曲の曲率が大きくなるように撓む程、大きな力が作用されて破損し易い。よって、本構成によれば、板バネ部の破損の可能性を低くすることができる。
【００１４】
(4) 上記第２部分または上記レバーの一方は、上記レバーの回動軸線の軸方向に対向した一対の第１板部と、上記回動軸線を中心とする円の周方向の９０度以上に亘って上記一対の第１板部を繋いでいる第２板部と、を備える。上記第２部分または上記レバーの他方は、上記一対の第１板部の間に位置しており、上記レバーの回動軸線上を上記一対の第１板部の一方から他方に亘って隙間なく延びた第３板部を備える。上記一対の第１板部の各々に、上記軸方向へ突出した突起または上記突起が挿入される開口の一方が形成されている。上記第３板部における上記一対の第１板部の一方と対向する面と、上記第３板部における上記一対の第１板部の他方と対向する面との各々に、上記突起または上記開口の他方が形成されている。上記レバーは、上記突起が上記開口に挿入されることによって、上記第２部分に回動可能に支持されている。
【００１５】
本構成によれば、突起または開口の一方を備える一対の第１板部が第２板部によって繋がれている。これにより、一対の第１板部は撓みにくい。また、突起または開口の他方を備える第３板部が一対の第１板部の一方から他方に亘って延びている。これにより、第３板部は撓みにくい。第１板部及び第３板部が撓みにくい構造であることにより、付勢部の強度を強くすることができる。その結果、付勢部の劣化を低減することができる。
【００１６】
(5) 上記台座または上記レバーの少なくとも一方は、上記レバーの上記第１位置から上記第２位置へ向けての回動を、上記第１位置及び上記第２位置の間の第３位置で規制するストッパを備える。
【００１７】
通常、レバーの第１位置からの回動量が多いほど、付勢部にかかる負荷が大きくなる。その結果、レバーの回動が繰り返されることにより、付勢部が劣化するおそれがある。本構成によれば、レバーの第１位置から第２位置へ向けての回動は、第２位置よりも第１位置側の第３位置で規制される。これにより、レバーの回動量が減るため、付勢部にかかる負荷が小さくなる。その結果、レバーの回動が繰り返されることによる付勢部の劣化を低減することができる。
【００１８】
(6) 上記第２部分は、上記第２端からＵターンするように延びたを湾曲部を備える。上記レバーは、上記第２部分における上記第１向きの端よりも上記第１向きと逆向き側の位置において、上記第２部分によって回動可能に支持されている。
【００１９】
本構成によれば、第２部分が湾曲部を備えているため、第３端の位置が第１端に近くなる。これにより、レバーを小型化することができる。その結果、イヤリングを耳に付けた状態において、耳の後側に位置するレバーを前から見えにくくすることができる。
【００２０】
(7) 上記第２部分は、上記湾曲部における上記第２端と反対側の端から、上記第１向きと平行の向き、または上記第３端へ向かうにしたがって上記第１部分に近づく向きに延びた延出部を備える。上記レバーは、上記延出部によって回動可能に支持されている。
【００２１】
本構成によれば、延出部が第３端へ向かうにしたがって第１部分から遠ざかる向きに延びているイヤリングよりも、イヤリングを小型化することができる。
【００２２】
(8) 上記付勢部の少なくとも一部は、上記レバーに設けられている。上記レバーは、ポリアセタール製である。
【００２３】
ポリアセタールは、例えばポリエチレンテレフタレートよりもバネ性に優れている。そのため、付勢部の機能を最大限発揮させることができる。
【００２４】
(9) 上記台座は、ポリエチレンテレフタレート製である。
【００２５】
ポリエチレンテレフタレートは、例えばポリアセタールよりも硬い。そのため、台座の強度を強くすることができる。
【００２６】
(10) 上記第１部分は、上記レバーと反対側へ突出した突出部を備える。
【００２７】
本構成によれば、突出部にアクセサリーを取り付けることができる。
【００２８】
(11) 上記第１部分は、上記レバーと反対側の面に凹部を備える。上記凹部は、球面によって区画されている。上記突出部は、上記球面の最深部から突出している。
【００２９】
本構成によれば、球状のアクセサリーを凹部に隙間なく嵌めることができる。
【００３０】
(12) 上記第１部分は、貫通孔を備える。
【００３１】
本構成によれば、貫通孔にアクセサリーを貫通させることにより、第１部分にアクセサリーを取り付けることができる。
【００３２】
(13) 上記第１部分は、上記第１端の近傍における上記レバー側の面に第１凸部を備える。上記レバーは、上記回動先端部における上記第１部分側の面に第２凸部を備える。上記レバーが上記第１位置の状態において、上記第２凸部は、上記第１凸部の先端より上記第１端側で上記第１部分に当接する。
【００３３】
本構成のように構成された第１凸部及び第２凸部に耳が挟まれることによって、イヤリングを耳から落ちにくくすることができる。
【００３４】
(14) 上記台座は、透明である。
【００３５】
本構成によれば、台座が透明である。その結果、イヤリングを耳に付けた状態において、耳の前側に位置する台座を目立たなくすることができる。
【００３６】
(15) 上記レバーは、透明である。
【００３７】
本構成によれば、レバーが透明である。その結果、イヤリングを耳に付けた状態において、レバーを目立たなくすることができる。
【００３８】
(16) 上記第１部分は、上記第１部分の他の部分よりも幅広である第４板部を備える。上記第４板部における上記レバーとは反対側の面は平面である。
【００３９】
本構成によれば、平面にアクセサリーを貼り付けることができる。
【００４０】
(17) 上記レバーは、上記レバーの回動基端へ向かうにしたがって上記回動軸の軸方向に沿った長さが短くなるテーパ部を備える。
【００４１】
本構成によれば、レバーは、テーパ部において軸方向の長さが短くなるため、小型化される。これにより、レバーを軽量化できる。また、レバーを目立たなくすることができる。
【発明の効果】
【００４２】
この発明によれば、レバーを台座へ向けて付勢する付勢部の劣化が生じにくくすることができる。
【図面の簡単な説明】
【００４３】
【図１】図１は、レバー３０が第１位置の状態のイヤリング１０の左側面図である。
【図２】図２は、レバー３０が第２位置の状態のイヤリング１０の左側面図である。
【図３】図３は、台座２０の左側面図である。
【図４】図４（Ａ）は、台座２０の正面図であり、図４（Ｂ）は、台座２０の上面図である。
【図５】図５は、レバー３０の左側面図である。
【図６】図６は、レバー３０の正面図である。
【図７】図７は、レバー３０の背面図である。
【図８】図８は、レバー３０が第３位置の状態のイヤリング１０の左側面図である。
【図９】図９は、変形例におけるレバー３０の外観斜視図である。
【図１０】図１０は、凸部６８を備えていないイヤリング１０の左側面図である。
【図１１】図１１は、板部８０を備えたイヤリング１０の背面図である。
【図１２】図１２は、板部８０を備えたイヤリング１０の左側面図である。
【図１３】図１３は、テーパ部８２を備えたレバー３０の正面図である。
【発明を実施するための形態】
【００４４】
以下、本発明の好ましい実施形態が、適宜図面が参照されつつ説明される。なお、本実施の形態は、本発明に係るイヤリングの一態様にすぎず、本発明の要旨を変更しない範囲で実施態様が変更されてもよいことは言うまでもない。
【００４５】
［イヤリングの概要］
【００４６】
図１に示されるように、本発明の一実施形態に係るイヤリング１０は、台座２０と、レバー３０と、付勢部４０とを備える。台座２０は、レバー３０を回動軸線１０４（図４参照）を中心として回動可能に支持している。レバー３０は、図１に示される第１位置と、図２に示される第２位置とに回動する。付勢部４０は、レバー３０を第１位置へ付勢するものである。
【００４７】
イヤリング１０は、以下の手順で使用者の耳に装着される。使用者は、レバー３０を第１位置から第２位置へ回動する。これにより、図２に示されるように、台座２０とレバー３０との間に、隙間５０が生じる。このとき、使用者は、レバー３０を把持したままである。これにより、レバー３０は、付勢部４０の付勢力にかかわらず、第２位置に保持される。次に、使用者は、隙間５０に耳たぶが位置するように、イヤリング１０を耳へ近づける。次に、使用者は、レバー３０を把持していた手をレバー３０から離す。これにより、レバー３０は、付勢部４０の付勢力によって第２位置から第１位置へ回動する。その結果、耳たぶが台座２０とレバー３０とに挟まれた状態となり、イヤリング１０が耳に固定される。
【００４８】
以下、イヤリング１０を構成する台座２０、レバー３０、及び付勢部４０の詳細が説明される。
【００４９】
［台座］
【００５０】
図１及び図３に示されるように、台座２０は、全体として湾曲した棒形状である。台座２０は、ポリエチレンテレフタレート製である。台座２０は、透明である。
【００５１】
台座２０は、第１部分６０と、第２部分７０とを備える。第１部分６０は、第１端９１から第２端９２へ、第１向き１０１に沿って真っ直ぐ延びている。第２端９２は、第１部分６０における第１端９１と反対側の端である。第２部分７０は、第２端９２において第１部分６０と連続している。第２部分７０は、第２端９２から第３端９３へ、第１向き１０１と異なる向きである第２向き１０２に沿って湾曲しつつ延びている。第３端９３は、第２部分７０における第２端９２と反対側の端である。第１向き１０１は、真っ直ぐな向きであり、第２向き１０２は、湾曲した向きである。
【００５２】
第１部分６０は、凹部６１と、突出部６２と、凸部６３（第１凸部の一例）と、凸部６８とを備えている。
【００５３】
図１及び図３に示されるように、凹部６１は、第１部分６０の第１面６５に位置している。第１面６５は、レバー３０と反対側の面である。凹部６１は、第１部分６０の第１端９１の近傍に位置しており、球状に湾曲した面である球面６１Ａによって区画されている。なお、図４（Ａ）に示されるように、第１部分６０の第１端９１の近傍の幅方向１０３の長さＬ１は、第１部分６０の第１端９１の近傍以外の部分の幅方向１０３の長さＬ２よりも長い。
【００５４】
突出部６２は、球面６１Ａの最深部から、第１面６５と直交する向きに沿ってレバー３０と反対側へ突出している。突出部６２は、棒状である。突出部６２の先端部は、先細りのテーパ形状である。なお、突出部６２の先端部は、テーパ形状以外の形状であってもよい。
【００５５】
凸部６３は、第１部分６０の第２面６６に位置している。第２面６６は、第１面６５の裏側の面である。凸部６３は、第１部分６０の第１端９１の近傍における突出部６２の真裏に位置している。
【００５６】
凸部６８は、第１面６５から突出している。凸部６８は、第１部分６０の第２端９２側に形成されている。貫通孔６４は、凸部６８に形成されている。貫通孔６４は、凸部６８を、幅方向１０３（図４参照）に貫通している。なお、図３において、幅方向１０３は、紙面に垂直な方向である。
【００５７】
図３及び図４に示されるように、第２部分７０は、湾曲部７９と、延出部７１を備えている。
【００５８】
湾曲部７９は、第２端９２から延びている。第２端９２から延びた湾曲部７９の延出向きは、第１向き１０１から第１向き１０１の逆向きへ湾曲しつつ変わっている。つまり、湾曲部７９は、第２端９２からＵターンするように延びている。
【００５９】
延出部７１は、湾曲部７９における第２端９２と反対の端から第３端９３へ向けて、概ね第１向き１０１と逆向きへ延びている。延出部７１における第１部分６０側の面７１Ａは、図３に示されるように、第３端９３へ近づくにしたがって第１部分６０に近づいている。なお、延出部７１は、第１向き１０１と平行に延びていてもよい。
【００６０】
延出部７１は、第２部分７０における第１向き１０１の端７１Ｂよりも、第１向き１０１と逆向き側に位置している。
【００６１】
図３及び図４に示されるように、延出部７１は、一対の板部７２（第１板部の一例）と、板部７３（第２板部の一例）とを備えている。
【００６２】
図４に示されるように、一対の板部７２は、幅方向１０３に間隔を空けて対向している。図３に示されるように、一対の板部７２の各々に、孔７４が形成されている。各孔７４は、円形であり、一対の板部７２を貫通している。各孔７４の中心は、双方ともに仮想線（レバー３０の回動軸線１０４（図４参照））上に位置している。ここで、回動軸線１０４は、幅方向１０３と平行である。つまり、幅方向１０３は、レバー３０の回動軸線１０４の軸方向である。なお、孔７４は、一対の板部７２を貫通していなくてもよい。
【００６３】
図４に示されるように、板部７３は、幅方向１０３に延びている。板部７３の幅方向１０３の一端は、一対の板部７２の一方と連続している。板部７３の幅方向１０３の他端は、一対の板部７２の他方と連続している。
【００６４】
板部７３は、回動軸線１０４を中心とする円の周方向に沿って一対の板部７２を繋いでいる。図３に示されるように、板部７３の当該周方向の一端７３Ａと、板部７３の当該周方向の他端７３Ｂとがなす角θは、９０度より大きい。なお、角θは９０度以上であればよい。つまり、板部７３は、当該周方向の９０度以上に亘って一対の板部７２を繋いでいる。
【００６５】
板部７３は、凹部７５を備えている。凹部７５は、一対の側面７６と、底面７７（当接面の一例）とによって区画されている。一対の側面７６は、幅方向１０３に対向している。底面７７は、一対の側面７６を繋いでいる。底面７７は、回動軸線１０４を中心とする円の径方向の外側を向いている。底面７７に、レバー３０の板バネ部３６（図５参照）が当接する。
【００６６】
［レバー］
【００６７】
図５及び図６に示されるように、レバー３０は、全体として概ね板形状である。レバー３０は、ポリアセタール製である。レバー３０は、白色である。
【００６８】
レバー３０は、本体３１と、一対の突起３２と、凸部３３（第２凸部の一例）と、板バネ部３６とを備える。
【００６９】
本体３１は、レバー３０の主要部を構成しており、概ね板形状である。本体３１は、一対の側面３１Ａと、面３１Ｂと、面３１Ｃとを備えている。一対の側面３１Ａは、本体３１の幅方向１０３の両端に位置しており、幅方向１０３の外側を向いている。面３１Ｂは、一対の側面３１Ａを繋いでおり、台座２０の第１部分６０と対向している。面３１Ｃは、面３１Ｂの裏側の面である。面３１Ｃは、一対の側面３１Ａを繋いでいる。
【００７０】
図５に示されるように、本体３１の長手方向１０５の一端部３１Ｄ（回動先端部の一例）は、本体３１の長手方向１０５の一端に近づく程に矢印１０６の向きへ向かうように湾曲している。このレバー３０の湾曲した部分の面３１Ｂがユーザに押されることによって、レバー３０は第１位置から第２位置へ回動する。なお、図５に示された一端部３１Ｄは、湾曲の代わりに屈曲していてもよい。
【００７１】
図６及び図７に示されるように、一対の突起３２は、一対の側面３１Ａの各々から、幅方向１０３へ突出している。一対の突起３２は、本体３１の長手方向１０５の他端部３１Ｅに位置している。一対の突起３２の各々は、台座２０の孔７４（図３参照）の各々に挿入される。これにより、図１及び図２に示されるように、レバー３０は、台座１０の延出部７１によって、回動軸線１０４（図３参照）を中心として回動可能に支持される。
【００７２】
レバー３０は、図１に示される第１位置と、図２に示される第２位置とに回動する。レバー３０は、図１に示される矢印１０６の向き（回動向きの一例）に回動することによって第１位置から第２位置へ移動する。レバー３０は、図２に示される矢印１０７の向き（矢印１０６と逆向き）に回動することによって第２位置から第１位置へ移動する。
【００７３】
図１に示されるように、レバー３０が第１位置のとき、一端部３１Ｄは、台座２０の第１端９１の近傍と当接している。図２に示されるように、レバー３０が第２位置のとき、一端部３１Ｄは、台座２０から離間している。
【００７４】
なお、レバー３０が第１位置のときに、一端部３１Ｄは台座２０の第１端９１に近接していればよい。つまり、レバー３０が第１位置のときに、一端部３１Ｄは台座２０の近傍に位置していればよく、必ずしも台座２０に当接していなくてもよい。この場合、レバー３０が第２位置にあるときのレバー３０の一端部３１Ｄの位置は、レバー３０が第１位置にあるときよりも台座２０から離間している。
【００７５】
図６及び図７に示されるように、一対の突起３２の各々の先端部は、先細りのテーパ形状である。これにより、一対の突起３２の孔７４への抜き差しが容易となる。つまり、レバー３０の台座２０への着脱が容易となる。なお、一対の突起３２の各々の先端部は、テーパ形状以外の形状であってもよい。
【００７６】
図５及び図７に示されるように、凸部３３は、本体３１の面３１Ｂから突出している。凸部３３は、一端部３１Ｄに位置している。図１に示されるように、レバー３０が第１位置のとき、凸部３３は、凸部６３の先端より第１端９１側で第１部分６０に当接する。また、レバー３０が第１位置のとき、凸部３３の突出先端は、台座２０の凸部６３の突出先端よりも、第２面６６の近くに位置している。
【００７７】
図７に示されるように、面３１Ｂに、２本の溝３４が形成されている。２本の溝３４は、長手方向１０５に間隔を空けて並んで形成されている。各溝３４は、幅方向１０３に沿って延びている。なお、溝３４の数は、２本に限らない。溝３４は、ユーザがレバー３０を把持したときの滑り止めとして機能する。なお、滑り止めとして機能するものは、溝３４に限らない。例えば、面３１Ｂに、溝３４の代わりに、面３４Ｂから突出して幅方向１０３に延びた複数のリブが形成されていてもよい。
【００７８】
図６及び図７に示されるように、本体３１に、切り欠き３５が形成されている。切り欠き３５は、本体３１を、長手方向１０５の他端から長手方向１０５に沿って切り欠いている。これにより、他端部３１Ｅは、切り欠き３５を挟んで２つの部分３１Ｆ、３１Ｇに分けられる。２つの部分３１Ｆ、３１Ｇの各々に、一対の突起３２の各々が設けられている。２つの部分３１Ｆ、３１Ｇは、幅方向１０３に細いため、幅方向１０３に撓みやすい。これにより、一対の突起３２の孔７４への抜き差しが容易となる。つまり、レバー３０の台座２０への着脱が容易となる。
【００７９】
図５及び図６に示されるように、板バネ部３６は、本体３１から延びている。板バネ部３６は、切り欠き３５の奥部から、他端部３１Ｅへ向けて延びている。つまり、図１及び図２に示されるように、レバー３０が台座２０に支持された状態において、板バネ部３６は、台座２０の第３端９３へ向けて延びている。
【００８０】
図１に示されるように、板バネ部３６は、長手方向１０５において切り欠き３５の奥部から離れるにしたがって、本体３１の面３１Ｃから離間するように延びている。つまり、板バネ部３６は、矢印１０６の向き（レバー３０の第１位置から第２位置への回動向き）へ膨らむように湾曲している。
【００８１】
板バネ部３６の本体３１側の面３６Ａは、台座２０の底面７７（図４参照）に当接している。
【００８２】
［付勢部］
【００８３】
付勢部４０は、レバー３０を第１位置へ付勢するものである。付勢部４０は、台座２０の底面７７（図４参照）と、レバー３０の板バネ部３６（図５参照）とを備えている。つまり、付勢部４０の少なくとも一部は、レバー３０に設けられている。
【００８４】
レバー３０が図１に示される第１位置のとき、台座２０の底面７７に当接した板バネ部３６の面３６Ａは、底面７７から反作用の力を受ける。これにより、板バネ部３６が僅かに撓んでいる。その結果、板バネ部３６が撓みを解消しようとする力、つまり板バネ部３６の弾性力によって、レバー３０に、第１位置から矢印１０７（図２参照）の向きへ回動する力が作用する。しかし、第１位置のレバー３０は台座２０と当接しているため、レバー３０が当該力によって第１位置から矢印１０７の向きへ回動することはない。
【００８５】
イヤリング１０のユーザがレバー３０を把持して、レバー３０を第１位置から第２位置へ向けて矢印１０６の向き（図１参照）へ回動させると、板バネ部３６の面３６Ａは、底面７７に対して摺動する。この摺動によって、面３６Ａと底面７７との当接位置は矢印１０６に沿って移動する。当接位置の移動によって、底面７７から面３６Ａへの反作用の力が増加する。上述したように、底面７７から面３６Ａへの反作用の力によって、板バネ部３６が撓む。よって、当接位置が矢印１０６の向きへ移動する程、つまりレバー３０が第２位置へ近づく程、板バネ部３６の撓み量が大きくなる。板バネ部３６は、矢印１０６の向きへ膨らむように湾曲した状態から、概ね真っ直ぐな状態となるように撓む。板バネ部３６が撓むことにより、板バネ部３６に上述と同様の力、つまり弾性力が作用する。これにより、レバー３０は第１位置へ付勢される。そのため、ユーザがレバー３０から手を離すと、レバー３０は、板バネ部３６の弾性によって第１位置へ回動する。
【００８６】
図２に示されるように、レバー３０が第２位置へ到達したとき、板バネ部３６の先端部３６Ｂは、台座２０（第２部分７０の湾曲部７９）に当接する。これにより、板バネ部３６が第２位置から更に矢印１０６の向きへ回動することが規制されている。レバー３０が第２位置に位置するとき、レバー３０の撓み量は最も大きくなる。つまり、板バネ部３６に作用する弾性力が最も大きくなる。レバー３０が第２位置に位置するときに、ユーザがレバー３０から手を離すと、上記と同様に、レバー３０は、板バネ部３６の弾性によって第１位置へ回動する。
【００８７】
以上より、レバー３０は、外部から力が作用していない状態（例えば、上記のようにユーザに把持されていない状態）において、回動可能な何れの位置（第１位置及び第２位置並びにその間の位置）にあっても、付勢部４０に付勢されることによって第１位置へ回動する。
【００８８】
［実施形態の作用効果］
【００８９】
本実施形態によれば、レバー３０は、外部から力が作用していない状態（例えばユーザに把持されていない状態）において、回動可能な何れの位置（第１位置及び第２位置並びにその間の位置）にあっても付勢部４０に付勢されることによって第１位置へ回動する。そのため、レバー３０が第２位置に保持されるようにイヤリング１０が構成されている場合よりも、レバー３０が回動する際に台座２０やレバー３０から付勢部４０へ作用する力を小さくすることができる。その結果、付勢部４０の劣化を生じにくくすることができる。
【００９０】
本実施形態によれば、板バネ部３６と底面７７という簡単な構成で、付勢部４０の機能を実現することができる。
【００９１】
本実施形態によれば、レバー３０の矢印１０６の向きの回動に応じて板バネ部３６が撓むとき、板バネ部３６は、湾曲した状態から真っ直ぐ延びた状態となるように撓む。通常、板バネ部３６は、湾曲の曲率が大きくなるように撓む程、大きな力が作用されて破損し易い。よって、本実施形態によれば、板バネ部３６は湾曲の曲率が小さくなるように撓むため、板バネ部３６の破損の可能性を低くすることができる。
【００９２】
本実施形態によれば、第２部分７０が湾曲部７９を備えているため、第３端９３の位置が第１端９１に近くなる。これにより、第３端９３から第１端９１に亘って位置するレバー３０を小型化することができる。その結果、イヤリング１０を耳に付けた状態において、耳の後側に位置するレバー３０を前から見えにくくすることができる。
【００９３】
本実施形態によれば、延出部７１が第３端９３へ向かうにしたがって第１部分６０に近づく向きに延びている。そのため、延出部７１が第３端９３へ向かうにしたがって第１部分６０から遠ざかる向きに延びているイヤリング１０よりも、イヤリング１０を小型化することができる。
【００９４】
本実施形態によれば、レバー３０は、ポリアセタール製である。ポリアセタールは、例えばポリエチレンテレフタレートよりもバネ性に優れている。そのため、レバー３０の板バネ部３６のバネ性を向上させることができる。その結果、付勢部４０の機能を最大限発揮させることができる。
【００９５】
本実施形態によれば、台座２０は、ポリエチレンテレフタレート製である。ポリエチレンテレフタレートは、例えばポリアセタールよりも硬い。そのため、台座２０の強度を強くすることができる。
【００９６】
本実施形態によれば、突出部６２が挿入可能な孔が形成されたアクセサリーを、突出部６２に取り付けることができる。
【００９７】
本実施形態によれば、凹部６１が球面によって区画されている。そのため、球状のアクセサリーを凹部６１に隙間なく嵌めることができる。
【００９８】
本実施形態によれば、貫通孔６４にアクセサリーを貫通させることにより、第１部分６０にアクセサリーを取り付けることができる。
【００９９】
本実施形態のように構成された凸部６３、３３に耳が挟まれることによって、凸部６３、３３が耳に引っ掛かる。これにより、イヤリング１０を耳から落ちにくくすることができる。
【０１００】
本実施形態によれば、台座２０が透明である。その結果、イヤリング１０を耳に付けた状態において、耳の前側に位置する台座２０を目立たなくすることができる。
【０１０１】
［変形例］
【０１０２】
上記実施形態では、レバー３０は、第１位置から矢印１０６の向きに回動することによって、第２位置まで回動可能であった。しかし、レバー３０の第１位置から矢印１０６の向きへの回動は、第２位置よりも第１位置に近い第３位置で規制されてもよい。
【０１０３】
例えば、図８に示されるように、一対の板部７２は、回動軸線１０４を中心とする円の径方向の外側へ突出したストッパ７８を備えていてもよい。そして、第１位置から矢印１０６の向きへ回動するレバー３０の本体３１の面３１Ｈがストッパ７８と当接することにより、レバー３０の回動が規制されてもよい。本体３１とストッパ７８とが当接してレバー３０の回動が規制されたときのレバー３０の位置（図８に示されるレバー３０の位置）が、第３位置である。
【０１０４】
なお、ストッパ７８は、レバー３０の矢印１０６の向きへの回動を第３位置で規制するものであれば、図８に示されたようなものに限らない。例えば、ストッパ７８は、第２部分７０の湾曲部７９から突出していてもよい。この場合、第１位置から第２位置へ向けて回動するレバー３０が第２位置へ到達する前に、板バネ部３６の先端部３６Ｂがストッパ７８に当接する。これにより、レバー３０の回動は第３位置で規制される。
【０１０５】
通常、レバー３０の第１位置からの回動量が多いほど、付勢部４０にかかる負荷が大きくなる。その結果、レバー３０の回動が繰り返されることにより、付勢部４０が劣化するおそれがある。上述した変形例（図８に例示した変形例）によれば、レバー３０の第１位置から第２位置へ向けての回動（矢印１０６の向きへの回動）は、ストッパ７８によって、第２位置よりも第１位置側の第３位置で規制される。これにより、レバー３０の回動量が減るため、付勢部４０にかかる負荷が小さくなる。その結果、レバー３０の回動が繰り返されることによる付勢部４０の劣化を低減することができる。
【０１０６】
上記実施形態では、レバー３０は切り欠き３５を備えていたが、レバー３０は切り欠き３５を備えていなくてもよい。この場合、図９に示されるように、本体３１の一部は、一対の板部７２の間に位置しており、回動軸線１０４上を一対の突起３２の一方から他方に亘って隙間なく延びている。つまり、レバー３０が台座２０に支持された状態において、本体３１は、回動軸線１０４上を一対の板部７２の一方から他方に亘って隙間なく延びている。図９に示される構成では、本体３１における一対の板部７２の間に配置された部分が、第３板部の一例である。また、図９に示される構成では、上記実施形態と同様に、一対の突起３２の各々は、一対の板部７２と対向する本体３１の一対の側面３１Ａの各々に形成されている。
【０１０７】
図９に示される構成の場合、本体３１が殆ど撓まないため、一対の突起３２が幅方向１０３に殆ど動かない。よって、レバー３０の台座２０への装着は、切り欠き３５が設けられた構成に比べて困難である。したがって、レバー３０の台座２０への装着は、治具を使用することによって行われることが望ましい。
【０１０８】
上述した変形例（図９に例示した変形例）によれば、孔７４を備える一対の板部７２が板部７３によって繋がれている。これにより、一対の板部７２は撓みにくい。また、一対の突起３２を備えるレバー３０の本体３１が、レバー３０の回動軸線１０４上を一対の板部７２の一方から他方に亘って隙間なく延びている。これにより、本体３１は撓みにくい。台座２０の一対の板部７２及びレバー３０の本体３１が撓みにくい構造であることにより、付勢部４０の強度を強くすることができる。その結果、付勢部４０の劣化を低減することができる。
【０１０９】
上記実施形態において、台座２０は、棒形状であったが、棒形状以外の形状、例えば板形状であってもよい。また、上記実施形態において、台座２０は、全体として湾曲した形状であったが、台座２０は、湾曲した形状ではなく屈曲した形状であってもよい。また、台座２０は、ポリエチレンテレフタレート以外の樹脂でもよいし、樹脂以外、例えば金属製や木製であってもよい。また、台座２０は、透明以外の色、例えば白色であってもよい。
【０１１０】
上記実施形態において、第１部分６０は、真っ直ぐ延びていた。しかし、第１部分６０は、その少なくとも一部において湾曲してしてもよいし、その少なくとも一部において屈曲していてもよい。また、上記実施形態において、第２部分７０は、湾曲していた。しかし、第２部分７０は、真っ直ぐ延びていてもよいし、その少なくとも一部において屈曲していてもよい。また、上記実施形態において、第２部分７０は、その一部（湾曲部７９）において湾曲し、残りの部分（延出部７１）において概ね真っ直ぐ延びていたが、その全体において湾曲していてもよい。また、上記実施形態において、第２部分７０は、Ｕターンするように湾曲していたが、第２部分７０の湾曲の態様は任意である。なお、第１向き１０１は、第１部分６０が延びる向きに応じて変わり、第２向き１０２は、第２部分７０が延びる向きに応じて変わる。
【０１１１】
上記実施形態において、凹部６１は、第１部分６０の第１端９１の近傍に位置していた。しかし、凹部６１は、第１部分６０の第１端９１の近傍以外に位置していてもよい。例えば、凹部６１は、第１部分６０の第２端９２の近傍に位置していてもよい。
【０１１２】
上記実施形態において、第１部分６０の第１端９１の近傍の幅方向１０３の長さＬ１は、第１部分６０の第１端９１の近傍以外の部分の幅方向１０３の長さＬ２よりも長かった。しかし、長さＬ１は、長さＬ２以下であってもよい。
【０１１３】
上記実施形態において、凹部６１は、第１面６５に位置していた。しかし、凹部６１は、第１面６５以外、例えば第１面６５及び第２面６６を繋ぐ第３面６７に位置していてもよい。なお、凹部６１の位置にかかわらず、突出部６２は、凹部６１を区画する面から突出していることが好ましい。しかし、突出部６２は、凹部６１を区画する面以外の箇所から突出していてもよい。また、凹部６１を区画する面は、球面６１Ａでなくてもよい。例えば、凹部６１は、矩形であってもよい。この場合、凹部６１は、複数の平面によって区画される。
【０１１４】
上記実施形態において、突出部６２は、球面６１Ａの最深部から突出していた。しかし、突出部６２は、球面６１Ａの最深部以外から突出していてもよい。突出部６２の突出向きは、第１面６５と直交する向き以外であってもよい。突出部６２は、棒状以外、例えば板状であってもよい。
【０１１５】
上記実施形態において、凸部６３は、突出部６２の真裏に位置していた。しかし、凸部６３は、突出部６２の真裏以外に位置していてもよい。例えば、凸部６３は、突出部６２よりも第２端９２側に位置していてもよい。
【０１１６】
上記実施形態において、貫通孔６４は、凸部６８に形成されていた。しかし、貫通孔６４は、凸部６８以外に形成されていてもよい。例えば、第１部分６０は凸部６８を備えておらず、貫通孔６４は第１部分６０を幅方向１０３に貫通していてもよい。貫通孔６４が第１部分６０を貫通する方向は、幅方向１０３以外の方向であってもよい。
【０１１７】
第１部分６０は、貫通孔６４（図１参照）を備えていなくてもよい。例えば、図１０に示されるように、第１部分６０は、第１面６５から突出しており貫通孔６４が形成された凸部６８（図１参照）を備えていなくてもよい。
【０１１８】
上記実施形態において、延出部７１の位置は、第２部分７０の第３端９３の近傍であった。しかし、延出部７１の位置は、第２部分７０の第３端９３の近傍に限らず、第３端９３側の位置（第２部分７０のうち第２端９２よりも第３端９３に近い位置）であればよい。
【０１１９】
上記実施形態において、延出部７１の一対の板部７２が孔７４を備え、レバー３０の本体３１が一対の突起３２を備えていた。しかし、上記実施形態とは逆に、延出部７１の一対の板部７２が一対の突起３２を備え、レバー３０の本体３１が孔７４を備えていてもよい。
【０１２０】
上記実施形態では、台座２０の延出部７１が一対の板部７２と、板部７３とを備えている一方で、レバー３０の本体３１が一対の板部７２の間に配置されていた。しかし、上記実施形態とは逆に、レバー３０の本体３１が一対の板部７２と、板部７３とを備えている一方で、台座２０の延出部７１が一対の板部７２の間に配置されていてもよい。この場合、延出部７１における一対の板部７２の間に配置された部分が、第３板部の一例である。
【０１２１】
上記実施形態において、第２部分７０は、湾曲部７９と延出部７１とを備えていた。しかし、第２部分７０は、湾曲部７９のみを備えていてもよい。この場合、レバー３０は、湾曲部７９における第２端９２とは反対側において湾曲部７９によって支持される。
【０１２２】
上記実施形態において、レバー３０は、板形状であったが、板形状以外の形状、例えば棒形状であってもよい。また、レバー３０は、ポリアセタール以外の樹脂でもよいし、樹脂以外、例えば金属製や木製であってもよい。また、レバー３０は、白以外の色、例えば透明であってもよい。レバー３０が透明である場合、イヤリングを耳に付けた状態において、レバー３０を目立たなくすることができる。
【０１２３】
上記実施形態において、レバー３０は、板バネ部３６によって第１位置へ付勢されていた。しかし、レバー３０を第１位置へ付勢させるための構成は、図５に示されるような板バネ部３６以外の構成であってもよい。例えば、板バネ部３６が、台座２０に設けられていてもよい。また、例えば、板バネ部３６の代わりにコイルバネなどの他の種類のバネが、レバー３０を第１位置へ付勢させるためのものとして、レバー３０または台座２０の少なくとも一方に設けられていてもよい。
【０１２４】
第１部分６０は、凹部６１、突出部６２、及び凸部６３の少なくとも一つの代わりに、または、凹部６１、突出部６２、及び凸部６３に加えて、図１１及び図１２に示されるような板部８０（第４板部の一例）を備えていてもよい。
【０１２５】
図１１及び図１２に示されるように、板部８０は、第１部分６０の第１端９１近傍に設けられている。板部８０は、概ね円板形状である。板部８０の直径Ｌ３（板部８０の幅方向１０３の長さ）は、第１部分６０の板部８０以外の部分の幅方向１０３の長さＬ２よりも長い。つまり、板部８０は、第１部分６０の板部８０以外の部分よりも幅広である。なお、板部８０は、第１部分６０の第１端９１近傍以外に設けられていてもよい。また、板部８０は、円板以外の形状であってもよい。
【０１２６】
板部８０におけるレバー３０とは反対側の面８１は、平面である。平面が向く向きは任意であるが、図１１に示される板部８０の面８１は、第１向き１０１及び幅方向１０３に拡がっている。面８１には、アクセサリーを容易に貼り付けることができる。
【０１２７】
板部８０におけるレバー３０側の面には、上記実施形態と同様に、凸部６３が形成されている。なお、凸部６３の有無は任意である。
【０１２８】
上記実施形態において、レバー３０は、正面から視て（換言すると第１向き１０１及び幅方向１０３と直交する方向に沿って視て）、図６に示されるような形状であった。しかし、レバー３０の形状は、図６に示されるような形状に限らない。
【０１２９】
例えば、図６に示されるレバー３０は、幅方向１０３の両端が長手方向１０５に沿って延びていたが、レバー３０は、図１３に示されるように、テーパ部８２を備えていてもよい。テーパ部８２は、レバー３０における本体３１の長手方向１０５の他端部３１Ｅ側、つまりレバー３０の回動基端側に形成されている。テーパ部８２の幅方向１０３の両端８３は、長手方向１０５に沿って延びておらず、長手方向１０５において当該回動基端へ向かうにしたがって（換言すると、他端部３１Ｅへ向かうにしたがって）、当該両端の間の幅方向１０３の距離が短くなるように延びている。つまり、テーパ部８２は、長手方向１０５において他端部３１Ｅへ向かうにしたがって幅狭となっている。換言すると、テーパ部８２は、他端部３１Ｅへ向かうにしたがって回動軸線１０４の方向（幅方向１０３）の長さが短くなっている。
【０１３０】
レバー３０がテーパ部８２を備える場合、レバー３０は、テーパ部８２において幅方向１０３の長さが短くなるため、小型化される。これにより、レバー３０を軽量化できる。また、レバー３０を目立たなくすることができる。
【符号の説明】
【０１３１】
１０・・・イヤリング
２０・・・台座
３０・・・レバー
３１・・・本体
３２・・・一対の突起
３３・・・凸部
３４・・・溝
３５・・・切り欠き
３６・・・板バネ部
４０・・・付勢部
５０・・・隙間
６０・・・第１部分
６１・・・凹部
６２・・・突出部
６３・・・凸部
６４・・・貫通孔
６５・・・第１面
６６・・・第２面
６７・・・第３面
７０・・・第２部分
７１・・・延出部
７２・・・一対の板部
７３・・・板部
７４・・・孔
７５・・・凹部
７６・・・一対の側面
７７・・・底面
７８・・・ストッパ
７９・・・湾曲部
８０・・・板部
８１・・・面
８２・・・テーパ部
９１・・・第１端
９２・・・第２端
９３・・・第３端
１０１・・・第１向き
１０２・・・第２向き
１０３・・・幅方向
１０４・・・回動軸線
１０５・・・長手方向
１０６・・・矢印
１０７・・・矢印
【図１】
2019098161.tif 000003
【図２】
2019098161.tif 000004
【図３】
2019098161.tif 000005
【図４】
2019098161.tif 000006
【図５】
2019098161.tif 000007
【図６】
2019098161.tif 000008
【図７】
2019098161.tif 000009
【図８】
2019098161.tif 000010
【図９】
2019098161.tif 000011
【図１０】
2019098161.tif 000012
【図１１】
2019098161.tif 000013
【図１２】
2019098161.tif 000014
【図１３】
2019098161.tif 000015
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
第１端から第１向きへ延びた第１部分、及び上記第１部分における上記第１端と反対側の第２端と連続しており上記第１向きと異なる向きへ延びた第２部分を有する台座と、
上記第２部分における上記第２端と反対側の第３端側において上記第２部分によって回動可能に支持された本体、及び上記本体の回動先端部において上記本体と一体に形成された当接部を有し、上記当接部が上記第１端に当接した第１位置、及び上記当接部が上記第１端から離間した第２位置に回動可能なレバーと、
上記レバーを上記第１位置へ付勢する付勢部と、を備え、
上記レバーは、外部から力が作用していない状態において、回動可能な何れの位置にあっても上記付勢部に付勢されることによって回動して上記第１位置に位置するイヤリング。
【請求項２】
第１端から第１向きへ延びた第１部分、及び上記第１部分における上記第１端と反対側の第２端と連続しており上記第１向きと異なる向きへ延びた第２部分を有する台座と、
上記第２部分における上記第２端と反対側の第３端側において上記第２部分によって回動可能に支持された本体、及び上記本体の回動先端部において上記本体と一体に形成された当接部を有し、上記当接部が上記第１端に当接した第１位置、及び上記当接部が上記第１端から離間した第３位置に回動可能なレバーと、
上記レバーを上記第１位置へ付勢する付勢部と、
上記第３位置の上記レバーが上記第１位置から遠ざかる向きへ回動することを規制するストッパと、を備え、
上記レバーは、外部から力が作用していない状態において、回動可能な何れの位置にあっても上記付勢部に付勢されることによって回動して上記第１位置に位置するイヤリング。
【請求項３】
上記付勢部は、
上記レバーに設けられており、上記第２部分の上記第３端へ向けて延びた板バネ部と、
上記第２部分の上記第３端の近傍に形成されており、上記レバーの回動軸線に対して上記第１部分の反対側に位置しており、上記レバーの回動軸線を中心とする円の径方向の外側を向いており、上記板バネ部が当接する当接面と、を備え、
上記板バネ部は、上記当接部が上記第１端から遠ざかる向きである所定回動向きへの上記レバーの回動に応じて、上記当接面に対して摺動しつつ上記当接面からの反作用によって撓むものであり、
上記付勢部は、撓んだ上記板バネ部の弾性によって、上記レバーを上記第１位置へ付勢するものである請求項１または２に記載のイヤリング。
【請求項４】
上記板バネ部は、上記レバーの上記所定回動向きへ膨らむように湾曲している請求項３に記載のイヤリング。
【請求項５】
上記第２部分または上記レバーの一方は、
上記レバーの回動軸線の軸方向に対向した一対の第１板部と、
上記回動軸線を中心とする円の周方向の９０度以上に亘って上記一対の第１板部を繋いでいる第２板部と、を備え、
上記第２部分または上記レバーの他方は、
上記一対の第１板部の間に位置しており、上記レバーの回動軸線上を上記一対の第１板部の一方から他方に亘って隙間なく延びた第３板部を備え、
上記一対の第１板部の各々に、上記軸方向へ突出した突起または上記突起が挿入される開口の一方が形成されており、
上記第３板部における上記一対の第１板部の一方と対向する面と、上記第３板部における上記一対の第１板部の他方と対向する面との各々に、上記突起または上記開口の他方が形成されており、
上記レバーは、上記突起が上記開口に挿入されることによって、上記第２部分に回動可能に支持されている請求項１から４のいずれかに記載のイヤリング。
【請求項６】
上記第２部分は、上記第２端からＵターンするように延びた湾曲部を備え、
上記レバーは、上記第２部分における上記第１向きの端よりも上記第１向きと逆向き側の位置において、上記第２部分によって回動可能に支持されている請求項１から５のいずれかに記載のイヤリング。
【請求項７】
上記第２部分は、上記湾曲部における上記第２端と反対側の端から、上記第１向きと平行の向き、または上記第３端へ向かうにしたがって上記第１部分に近づく向きに延びた延出部を備え、
上記レバーは、上記延出部によって回動可能に支持されている請求項６に記載のイヤリング。
【請求項８】
上記付勢部の少なくとも一部は、上記レバーに設けられており、
上記レバーは、ポリアセタール製である請求項１から７のいずれかに記載のイヤリング。
【請求項９】
上記台座は、ポリエチレンテレフタレート製である請求項１から８のいずれかに記載のイヤリング。
【請求項１０】
上記第１部分は、上記レバーと反対側へ突出した突出部を備える請求項１から９のいずれかに記載のイヤリング。
【請求項１１】
上記第１部分は、上記レバーと反対側の面に凹部を備え、
上記凹部は、球面によって区画されており、
上記突出部は、上記球面の最深部から突出している請求項１０に記載のイヤリング。
【請求項１２】
上記第１部分は、貫通孔を備える請求項１から１１のいずれかに記載のイヤリング。
【請求項１３】
上記第１部分は、上記第１端の近傍における上記レバー側の面に第１凸部を備え、
上記レバーは、上記回動先端部における上記第１部分側の面に第２凸部を備え、
上記レバーが上記第１位置の状態において、上記第２凸部は、上記第１凸部の先端より上記第１端側で上記第１部分に当接する請求項１から１２のいずれかに記載のイヤリング。
【請求項１４】
上記台座は、透明である請求項１から１３のいずれかに記載のイヤリング。
【請求項１５】
上記レバーは、透明である請求項１から１４のいずれかに記載のイヤリング。
【請求項１６】
上記第１部分は、上記第１部分の他の部分よりも幅広である第４板部を備え、
上記第４板部における上記レバーとは反対側の面は平面である請求項１から１５のいずれかに記載のイヤリング。
【請求項１７】
上記レバーは、上記レバーの回動基端へ向かうにしたがって上記レバーの回動軸線の軸方向に沿った長さが短くなるテーパ部を備える請求項１から１６のいずれかに記載のイヤリング。
【手続補正２】
【補正対象書類名】明細書
【補正対象項目名】全文
【補正方法】変更
【補正の内容】
【発明の詳細な説明】
【技術分野】
【０００１】
本発明は、耳たぶを挟持することによって耳に装着するイヤリングに関する。
【背景技術】
【０００２】
耳たぶを挟持することによって耳に装着するイヤリングには、様々な形状のものがある。このようなイヤリングは、台座と、台座に回動可能に支持されたレバーとを備えている。レバーは、台座に対して、台座に近づいた近接位置と、台座から離れた離間位置とに回動する。イヤリングのユーザは、レバーを離間位置にした状態で、台座とレバーとの間に耳たぶが位置するように、イヤリングを耳に近づける。そして、レバーを離間位置から近接位置へ回動させる。これにより、イヤリングは耳に装着される。
【０００３】
通常、上記のようなイヤリングにおいて、レバーは、板バネなどの付勢部によって近接位置へ向かうように付勢されている。
【０００４】
また、通常、上記のようなイヤリングにおいて、レバーは、離間位置にまで回動されると、離間位置に保持された状態となる。例えば、特許文献１に開示されたイヤリングは、半開きの状態を維持する（特許文献１の図１参照）。また、例えば、特許文献２に開示されたイヤリングは、耳たぶ受け部２および耳たぶ挟持部３の間に耳たぶを配置したまま、アーム部３２を、耳たぶを挟持する方向へ回動するように一定の力を加えると、板バネの弾性により自動的に力を加えた方向へ回動し、耳たぶが挟持される。つまり、耳たぶ挟持部３は、アーム部３２に一定の力を加えない限り、耳たぶ受け部２との間に間隔を空けた位置に保持される（特許文献の図２参照）。
【先行技術文献】
【特許文献】
【０００５】
【特許文献１】実開平６−６４５１１号公報
【特許文献２】特開２０１３−１７６６３２号公報
【発明の概要】
【発明が解決しようとする課題】
【０００６】
通常、レバーを離間位置に保持するイヤリングでは、レバーに設けられた板バネなどの付勢部が台座に形成された凸部を乗り越えることによって、レバーを離間位置に保持する機能が実現されている。このようなイヤリングでは、付勢部が凸部を乗り越える際に、凸部から付勢部に大きな力が作用する。そのため、レバーの回動が繰り返されることによって付勢部の劣化が生じ易い。例えば、凸部からの力の作用で付勢部が変形してしまい、付勢部の付勢力（詳細にはレバーを近接位置へ付勢する付勢力）が弱くなってしまうおそれがある。また、例えば、凸部からの力の作用で付勢部が破損してしまうおそれがある。
【０００７】
本発明は、前述された事情に鑑みてなされたものであり、その目的は、レバーを台座へ向けて付勢する付勢部の劣化が生じにくいイヤリングを提供することにある。
【課題を解決するための手段】
【０００８】
(1) 本発明に係るイヤリングは、第１端から第１向きへ延びた第１部分、及び上記第１部分における上記第１端と反対側の第２端と連続しており上記第１向きと異なる向きへ延びた第２部分を有する台座と、上記第２部分における上記第２端と反対側の第３端側において上記第２部分によって回動可能に支持された本体、及び上記本体の回動先端部において上記本体と一体に形成された当接部を有し、上記当接部が上記第１端に当接した第１位置、及び上記当接部が上記第１端から離間した第２位置に回動可能なレバーと、上記レバーを上記第１位置へ付勢する付勢部と、を備える。上記レバーは、外部から力が作用していない状態において、回動可能な何れの位置にあっても上記付勢部に付勢されることによって回動して上記第１位置に位置する。
【０００９】
本構成によれば、レバーは、外部から力が作用していない状態において、回動可能な何れの位置にあっても付勢部に付勢されることによって第１位置へ回動する。そのため、レバーが第２位置に保持されるようにイヤリングが構成されている場合よりも、レバーが回動する際に付勢部へ作用する力を小さくすることができる。その結果、付勢部の劣化を生じにくくすることができる。
【００１０】
(2) 本発明に係るイヤリングは、第１端から第１向きへ延びた第１部分、及び上記第１部分における上記第１端と反対側の第２端と連続しており上記第１向きと異なる向きへ延びた第２部分を有する台座と、上記第２部分における上記第２端と反対側の第３端側において上記第２部分によって回動可能に支持された本体、及び上記本体の回動先端部において上記本体と一体に形成された当接部を有し、上記当接部が上記第１端に当接した第１位置、及び上記当接部が上記第１端から離間した第３位置に回動可能なレバーと、上記レバーを上記第１位置へ付勢する付勢部と、上記第３位置の上記レバーが上記第１位置から遠ざかる向きへ回動することを規制するストッパと、を備える。上記レバーは、外部から力が作用していない状態において、回動可能な何れの位置にあっても上記付勢部に付勢されることによって回動して上記第１位置に位置する。
【００１１】
通常、レバーの第１位置からの回動量が多いほど、付勢部にかかる負荷が大きくなる。その結果、レバーの回動が繰り返されることにより、付勢部が劣化するおそれがある。本構成によれば、レバーの第１位置の回動は第３位置で規制される。これにより、レバーの回動量が減るため、付勢部にかかる負荷が小さくなる。その結果、レバーの回動が繰り返されることによる付勢部の劣化を低減することができる。
【００１２】
(3) 上記付勢部は、上記レバーに設けられており、上記第２部分の上記第３端へ向けて延びた板バネ部と、上記第２部分の上記第３端の近傍に形成されており、上記レバーの回動軸線に対して上記第１部分の反対側に位置しており、上記レバーの回動軸線を中心とする円の径方向の外側を向いており、上記板バネ部が当接する当接面と、を備える。上記板バネ部は、上記当接部が上記第１端から遠ざかる向きである所定回動向きへの上記レバーの回動に応じて、上記当接面に対して摺動しつつ上記当接面からの反作用によって撓むものである。上記付勢部は、撓んだ上記板バネ部の弾性によって、上記レバーを上記第１位置へ付勢するものである。
【００１３】
本構成によれば、付勢部の機能を簡単な構成で実現することができる。
【００１４】
(4) 上記板バネ部は、上記レバーの上記所定回動向きへ膨らむように湾曲している。
【００１５】
本構成によれば、レバーの第１位置から所定回動向きへの回動に応じて板バネ部が撓むとき、板バネ部は湾曲を解消するように撓む。換言すると、板バネ部は、湾曲した状態から真っ直ぐ延びた状態となるように撓む。通常、板バネ部は、湾曲の曲率が大きくなるように撓む程、大きな力が作用されて破損し易い。よって、本構成によれば、板バネ部の破損の可能性を低くすることができる。
【００１６】
(5) 上記第２部分または上記レバーの一方は、上記レバーの回動軸線の軸方向に対向した一対の第１板部と、上記回動軸線を中心とする円の周方向の９０度以上に亘って上記一対の第１板部を繋いでいる第２板部と、を備える。上記第２部分または上記レバーの他方は、上記一対の第１板部の間に位置しており、上記レバーの回動軸線上を上記一対の第１板部の一方から他方に亘って隙間なく延びた第３板部を備える。上記一対の第１板部の各々に、上記軸方向へ突出した突起または上記突起が挿入される開口の一方が形成されている。上記第３板部における上記一対の第１板部の一方と対向する面と、上記第３板部における上記一対の第１板部の他方と対向する面との各々に、上記突起または上記開口の他方が形成されている。上記レバーは、上記突起が上記開口に挿入されることによって、上記第２部分に回動可能に支持されている。
【００１７】
本構成によれば、突起または開口の一方を備える一対の第１板部が第２板部によって繋がれている。これにより、一対の第１板部は撓みにくい。また、突起または開口の他方を備える第３板部が一対の第１板部の一方から他方に亘って延びている。これにより、第３板部は撓みにくい。第１板部及び第３板部が撓みにくい構造であることにより、付勢部の強度を強くすることができる。その結果、付勢部の劣化を低減することができる。
【００１８】
(6) 上記第２部分は、上記第２端からＵターンするように延びた湾曲部を備える。上記レバーは、上記第２部分における上記第１向きの端よりも上記第１向きと逆向き側の位置において、上記第２部分によって回動可能に支持されている。
【００１９】
本構成によれば、第２部分が湾曲部を備えているため、第３端の位置が第１端に近くなる。これにより、レバーを小型化することができる。その結果、イヤリングを耳に付けた状態において、耳の後側に位置するレバーを前から見えにくくすることができる。
【００２０】
(7) 上記第２部分は、上記湾曲部における上記第２端と反対側の端から、上記第１向きと平行の向き、または上記第３端へ向かうにしたがって上記第１部分に近づく向きに延びた延出部を備える。上記レバーは、上記延出部によって回動可能に支持されている。
【００２１】
本構成によれば、延出部が第３端へ向かうにしたがって第１部分から遠ざかる向きに延びているイヤリングよりも、イヤリングを小型化することができる。
【００２２】
(8) 上記付勢部の少なくとも一部は、上記レバーに設けられている。上記レバーは、ポリアセタール製である。
【００２３】
ポリアセタールは、例えばポリエチレンテレフタレートよりもバネ性に優れている。そのため、付勢部の機能を最大限発揮させることができる。
【００２４】
(9) 上記台座は、ポリエチレンテレフタレート製である。
【００２５】
ポリエチレンテレフタレートは、例えばポリアセタールよりも硬い。そのため、台座の強度を強くすることができる。
【００２６】
(10) 上記第１部分は、上記レバーと反対側へ突出した突出部を備える。
【００２７】
本構成によれば、突出部にアクセサリーを取り付けることができる。
【００２８】
(11) 上記第１部分は、上記レバーと反対側の面に凹部を備える。上記凹部は、球面によって区画されている。上記突出部は、上記球面の最深部から突出している。
【００２９】
本構成によれば、球状のアクセサリーを凹部に隙間なく嵌めることができる。
【００３０】
(12) 上記第１部分は、貫通孔を備える。
【００３１】
本構成によれば、貫通孔にアクセサリーを貫通させることにより、第１部分にアクセサリーを取り付けることができる。
【００３２】
(13) 上記第１部分は、上記第１端の近傍における上記レバー側の面に第１凸部を備える。上記レバーは、上記回動先端部における上記第１部分側の面に第２凸部を備える。上記レバーが上記第１位置の状態において、上記第２凸部は、上記第１凸部の先端より上記第１端側で上記第１部分に当接する。
【００３３】
本構成のように構成された第１凸部及び第２凸部に耳が挟まれることによって、イヤリングを耳から落ちにくくすることができる。
【００３４】
(14) 上記台座は、透明である。
【００３５】
本構成によれば、台座が透明である。その結果、イヤリングを耳に付けた状態において、耳の前側に位置する台座を目立たなくすることができる。
【００３６】
(15) 上記レバーは、透明である。
【００３７】
本構成によれば、レバーが透明である。その結果、イヤリングを耳に付けた状態において、レバーを目立たなくすることができる。
【００３８】
(16) 上記第１部分は、上記第１部分の他の部分よりも幅広である第４板部を備える。上記第４板部における上記レバーとは反対側の面は平面である。
【００３９】
本構成によれば、平面にアクセサリーを貼り付けることができる。
【００４０】
(17) 上記レバーは、上記レバーの回動基端へ向かうにしたがって上記レバーの回動軸線の軸方向に沿った長さが短くなるテーパ部を備える。
【００４１】
本構成によれば、レバーは、テーパ部において軸方向の長さが短くなるため、小型化される。これにより、レバーを軽量化できる。また、レバーを目立たなくすることができる。
【発明の効果】
【００４２】
この発明によれば、レバーを台座へ向けて付勢する付勢部の劣化が生じにくくすることができる。
【図面の簡単な説明】
【００４３】
【図１】図１は、レバー３０が第１位置の状態のイヤリング１０の左側面図である。
【図２】図２は、レバー３０が第２位置の状態のイヤリング１０の左側面図である。
【図３】図３は、台座２０の左側面図である。
【図４】図４（Ａ）は、台座２０の正面図であり、図４（Ｂ）は、台座２０の上面図である。
【図５】図５は、レバー３０の左側面図である。
【図６】図６は、レバー３０の正面図である。
【図７】図７は、レバー３０の背面図である。
【図８】図８は、レバー３０が第３位置の状態のイヤリング１０の左側面図である。
【図９】図９は、変形例におけるレバー３０の外観斜視図である。
【図１０】図１０は、凸部６８を備えていないイヤリング１０の左側面図である。
【図１１】図１１は、板部８０を備えたイヤリング１０の背面図である。
【図１２】図１２は、板部８０を備えたイヤリング１０の左側面図である。
【図１３】図１３は、テーパ部８２を備えたレバー３０の正面図である。
【発明を実施するための形態】
【００４４】
以下、本発明の好ましい実施形態が、適宜図面が参照されつつ説明される。なお、本実施の形態は、本発明に係るイヤリングの一態様にすぎず、本発明の要旨を変更しない範囲で実施態様が変更されてもよいことは言うまでもない。
【００４５】
［イヤリングの概要］
【００４６】
図１に示されるように、本発明の一実施形態に係るイヤリング１０は、台座２０と、レバー３０と、付勢部４０とを備える。台座２０は、レバー３０を回動軸線１０４（図４参照）を中心として回動可能に支持している。レバー３０は、図１に示される第１位置と、図２に示される第２位置とに回動する。付勢部４０は、レバー３０を第１位置へ付勢するものである。
【００４７】
イヤリング１０は、以下の手順で使用者の耳に装着される。使用者は、レバー３０を第１位置から第２位置へ回動する。これにより、図２に示されるように、台座２０とレバー３０との間に、隙間５０が生じる。このとき、使用者は、レバー３０を把持したままである。これにより、レバー３０は、付勢部４０の付勢力にかかわらず、第２位置に保持される。次に、使用者は、隙間５０に耳たぶが位置するように、イヤリング１０を耳へ近づける。次に、使用者は、レバー３０を把持していた手をレバー３０から離す。これにより、レバー３０は、付勢部４０の付勢力によって第２位置から第１位置へ回動する。その結果、耳たぶが台座２０とレバー３０とに挟まれた状態となり、イヤリング１０が耳に固定される。
【００４８】
以下、イヤリング１０を構成する台座２０、レバー３０、及び付勢部４０の詳細が説明される。
【００４９】
［台座］
【００５０】
図１及び図３に示されるように、台座２０は、全体として湾曲した棒形状である。台座２０は、ポリエチレンテレフタレート製である。台座２０は、透明である。
【００５１】
台座２０は、第１部分６０と、第２部分７０とを備える。第１部分６０は、第１端９１から第２端９２へ、第１向き１０１に沿って真っ直ぐ延びている。第２端９２は、第１部分６０における第１端９１と反対側の端である。第２部分７０は、第２端９２において第１部分６０と連続している。第２部分７０は、第２端９２から第３端９３へ、第１向き１０１と異なる向きである第２向き１０２に沿って湾曲しつつ延びている。第３端９３は、第２部分７０における第２端９２と反対側の端である。第１向き１０１は、真っ直ぐな向きであり、第２向き１０２は、湾曲した向きである。
【００５２】
第１部分６０は、凹部６１と、突出部６２と、凸部６３（第１凸部の一例）と、凸部６８とを備えている。
【００５３】
図１及び図３に示されるように、凹部６１は、第１部分６０の第１面６５に位置している。第１面６５は、レバー３０と反対側の面である。凹部６１は、第１部分６０の第１端９１の近傍に位置しており、球状に湾曲した面である球面６１Ａによって区画されている。なお、図４（Ａ）に示されるように、第１部分６０の第１端９１の近傍の幅方向１０３の長さＬ１は、第１部分６０の第１端９１の近傍以外の部分の幅方向１０３の長さＬ２よりも長い。
【００５４】
突出部６２は、球面６１Ａの最深部から、第１面６５と直交する向きに沿ってレバー３０と反対側へ突出している。突出部６２は、棒状である。突出部６２の先端部は、先細りのテーパ形状である。なお、突出部６２の先端部は、テーパ形状以外の形状であってもよい。
【００５５】
凸部６３は、第１部分６０の第２面６６に位置している。第２面６６は、第１面６５の裏側の面である。凸部６３は、第１部分６０の第１端９１の近傍における突出部６２の真裏に位置している。
【００５６】
凸部６８は、第１面６５から突出している。凸部６８は、第１部分６０の第２端９２側に形成されている。貫通孔６４は、凸部６８に形成されている。貫通孔６４は、凸部６８を、幅方向１０３（図４参照）に貫通している。なお、図３において、幅方向１０３は、紙面に垂直な方向である。
【００５７】
図３及び図４に示されるように、第２部分７０は、湾曲部７９と、延出部７１を備えている。
【００５８】
湾曲部７９は、第２端９２から延びている。第２端９２から延びた湾曲部７９の延出向きは、第１向き１０１から第１向き１０１の逆向きへ湾曲しつつ変わっている。つまり、湾曲部７９は、第２端９２からＵターンするように延びている。
【００５９】
延出部７１は、湾曲部７９における第２端９２と反対の端から第３端９３へ向けて、概ね第１向き１０１と逆向きへ延びている。延出部７１における第１部分６０側の面７１Ａは、図３に示されるように、第３端９３へ近づくにしたがって第１部分６０に近づいている。なお、延出部７１は、第１向き１０１と平行に延びていてもよい。
【００６０】
延出部７１は、第２部分７０における第１向き１０１の端７１Ｂよりも、第１向き１０１と逆向き側に位置している。
【００６１】
図３及び図４に示されるように、延出部７１は、一対の板部７２（第１板部の一例）と、板部７３（第２板部の一例）とを備えている。
【００６２】
図４に示されるように、一対の板部７２は、幅方向１０３に間隔を空けて対向している。図３に示されるように、一対の板部７２の各々に、孔７４が形成されている。各孔７４は、円形であり、一対の板部７２を貫通している。各孔７４の中心は、双方ともに仮想線（レバー３０の回動軸線１０４（図４参照））上に位置している。ここで、回動軸線１０４は、幅方向１０３と平行である。つまり、幅方向１０３は、レバー３０の回動軸線１０４の軸方向である。なお、孔７４は、一対の板部７２を貫通していなくてもよい。
【００６３】
図４に示されるように、板部７３は、幅方向１０３に延びている。板部７３の幅方向１０３の一端は、一対の板部７２の一方と連続している。板部７３の幅方向１０３の他端は、一対の板部７２の他方と連続している。
【００６４】
板部７３は、回動軸線１０４を中心とする円の周方向に沿って一対の板部７２を繋いでいる。図３に示されるように、板部７３の当該周方向の一端７３Ａと、板部７３の当該周方向の他端７３Ｂとがなす角θは、９０度より大きい。なお、角θは９０度以上であればよい。つまり、板部７３は、当該周方向の９０度以上に亘って一対の板部７２を繋いでいる。
【００６５】
板部７３は、凹部７５を備えている。凹部７５は、一対の側面７６と、底面７７（当接面の一例）とによって区画されている。一対の側面７６は、幅方向１０３に対向している。底面７７は、一対の側面７６を繋いでいる。底面７７は、回動軸線１０４を中心とする円の径方向の外側を向いている。底面７７に、レバー３０の板バネ部３６（図５参照）が当接する。
【００６６】
［レバー］
【００６７】
図５及び図６に示されるように、レバー３０は、全体として概ね板形状である。レバー３０は、ポリアセタール製である。レバー３０は、白色である。
【００６８】
レバー３０は、本体３１と、一対の突起３２と、凸部３３（第２凸部の一例）と、板バネ部３６とを備える。
【００６９】
本体３１は、レバー３０の主要部を構成しており、概ね板形状である。本体３１は、一対の側面３１Ａと、面３１Ｂと、面３１Ｃとを備えている。一対の側面３１Ａは、本体３１の幅方向１０３の両端に位置しており、幅方向１０３の外側を向いている。面３１Ｂは、一対の側面３１Ａを繋いでおり、台座２０の第１部分６０と対向している。面３１Ｃは、面３１Ｂの裏側の面である。面３１Ｃは、一対の側面３１Ａを繋いでいる。
【００７０】
図５に示されるように、本体３１の長手方向１０５の一端部３１Ｄ（回動先端部の一例）は、本体３１の長手方向１０５の一端に近づく程に矢印１０６の向きへ向かうように湾曲している。このレバー３０の湾曲した部分の面３１Ｂがユーザに押されることによって、レバー３０は第１位置から第２位置へ回動する。なお、図５に示された一端部３１Ｄは、湾曲の代わりに屈曲していてもよい。
【００７１】
図６及び図７に示されるように、一対の突起３２は、一対の側面３１Ａの各々から、幅方向１０３へ突出している。一対の突起３２は、本体３１の長手方向１０５の他端部３１Ｅに位置している。一対の突起３２の各々は、台座２０の孔７４（図３参照）の各々に挿入される。これにより、図１及び図２に示されるように、レバー３０は、台座１０の延出部７１によって、回動軸線１０４（図３参照）を中心として回動可能に支持される。
【００７２】
レバー３０は、図１に示される第１位置と、図２に示される第２位置とに回動する。レバー３０は、図１に示される矢印１０６の向き（回動向きの一例）に回動することによって第１位置から第２位置へ移動する。レバー３０は、図２に示される矢印１０７の向き（矢印１０６と逆向き）に回動することによって第２位置から第１位置へ移動する。
【００７３】
図１に示されるように、レバー３０が第１位置のとき、一端部３１Ｄは、台座２０の第１端９１の近傍と当接している。図２に示されるように、レバー３０が第２位置のとき、一端部３１Ｄは、台座２０から離間している。
【００７４】
なお、レバー３０が第１位置のときに、一端部３１Ｄは台座２０の第１端９１に近接していればよい。つまり、レバー３０が第１位置のときに、一端部３１Ｄは台座２０の近傍に位置していればよく、必ずしも台座２０に当接していなくてもよい。この場合、レバー３０が第２位置にあるときのレバー３０の一端部３１Ｄの位置は、レバー３０が第１位置にあるときよりも台座２０から離間している。
【００７５】
図６及び図７に示されるように、一対の突起３２の各々の先端部は、先細りのテーパ形状である。これにより、一対の突起３２の孔７４への抜き差しが容易となる。つまり、レバー３０の台座２０への着脱が容易となる。なお、一対の突起３２の各々の先端部は、テーパ形状以外の形状であってもよい。
【００７６】
図５及び図７に示されるように、凸部３３は、本体３１の面３１Ｂから突出している。凸部３３は、一端部３１Ｄに位置している。図１に示されるように、レバー３０が第１位置のとき、凸部３３は、凸部６３の先端より第１端９１側で第１部分６０に当接する。また、レバー３０が第１位置のとき、凸部３３の突出先端は、台座２０の凸部６３の突出先端よりも、第２面６６の近くに位置している。
【００７７】
図７に示されるように、面３１Ｂに、２本の溝３４が形成されている。２本の溝３４は、長手方向１０５に間隔を空けて並んで形成されている。各溝３４は、幅方向１０３に沿って延びている。なお、溝３４の数は、２本に限らない。溝３４は、ユーザがレバー３０を把持したときの滑り止めとして機能する。なお、滑り止めとして機能するものは、溝３４に限らない。例えば、面３１Ｂに、溝３４の代わりに、面３４Ｂから突出して幅方向１０３に延びた複数のリブが形成されていてもよい。
【００７８】
図６及び図７に示されるように、本体３１に、切り欠き３５が形成されている。切り欠き３５は、本体３１を、長手方向１０５の他端から長手方向１０５に沿って切り欠いている。これにより、他端部３１Ｅは、切り欠き３５を挟んで２つの部分３１Ｆ、３１Ｇに分けられる。２つの部分３１Ｆ、３１Ｇの各々に、一対の突起３２の各々が設けられている。２つの部分３１Ｆ、３１Ｇは、幅方向１０３に細いため、幅方向１０３に撓みやすい。これにより、一対の突起３２の孔７４への抜き差しが容易となる。つまり、レバー３０の台座２０への着脱が容易となる。
【００７９】
図５及び図６に示されるように、板バネ部３６は、本体３１から延びている。板バネ部３６は、切り欠き３５の奥部から、他端部３１Ｅへ向けて延びている。つまり、図１及び図２に示されるように、レバー３０が台座２０に支持された状態において、板バネ部３６は、台座２０の第３端９３へ向けて延びている。
【００８０】
図１に示されるように、板バネ部３６は、長手方向１０５において切り欠き３５の奥部から離れるにしたがって、本体３１の面３１Ｃから離間するように延びている。つまり、板バネ部３６は、矢印１０６の向き（レバー３０の第１位置から第２位置への回動向き）へ膨らむように湾曲している。
【００８１】
板バネ部３６の本体３１側の面３６Ａは、台座２０の底面７７（図４参照）に当接している。
【００８２】
［付勢部］
【００８３】
付勢部４０は、レバー３０を第１位置へ付勢するものである。付勢部４０は、台座２０の底面７７（図４参照）と、レバー３０の板バネ部３６（図５参照）とを備えている。つまり、付勢部４０の少なくとも一部は、レバー３０に設けられている。
【００８４】
レバー３０が図１に示される第１位置のとき、台座２０の底面７７に当接した板バネ部３６の面３６Ａは、底面７７から反作用の力を受ける。これにより、板バネ部３６が僅かに撓んでいる。その結果、板バネ部３６が撓みを解消しようとする力、つまり板バネ部３６の弾性力によって、レバー３０に、第１位置から矢印１０７（図２参照）の向きへ回動する力が作用する。しかし、第１位置のレバー３０は台座２０と当接しているため、レバー３０が当該力によって第１位置から矢印１０７の向きへ回動することはない。
【００８５】
イヤリング１０のユーザがレバー３０を把持して、レバー３０を第１位置から第２位置へ向けて矢印１０６の向き（図１参照）へ回動させると、板バネ部３６の面３６Ａは、底面７７に対して摺動する。この摺動によって、面３６Ａと底面７７との当接位置は矢印１０６に沿って移動する。当接位置の移動によって、底面７７から面３６Ａへの反作用の力が増加する。上述したように、底面７７から面３６Ａへの反作用の力によって、板バネ部３６が撓む。よって、当接位置が矢印１０６の向きへ移動する程、つまりレバー３０が第２位置へ近づく程、板バネ部３６の撓み量が大きくなる。板バネ部３６は、矢印１０６の向きへ膨らむように湾曲した状態から、概ね真っ直ぐな状態となるように撓む。板バネ部３６が撓むことにより、板バネ部３６に上述と同様の力、つまり弾性力が作用する。これにより、レバー３０は第１位置へ付勢される。そのため、ユーザがレバー３０から手を離すと、レバー３０は、板バネ部３６の弾性によって第１位置へ回動する。
【００８６】
図２に示されるように、レバー３０が第２位置へ到達したとき、板バネ部３６の先端部３６Ｂは、台座２０（第２部分７０の湾曲部７９）に当接する。これにより、板バネ部３６が第２位置から更に矢印１０６の向きへ回動することが規制されている。レバー３０が第２位置に位置するとき、レバー３０の撓み量は最も大きくなる。つまり、板バネ部３６に作用する弾性力が最も大きくなる。レバー３０が第２位置に位置するときに、ユーザがレバー３０から手を離すと、上記と同様に、レバー３０は、板バネ部３６の弾性によって第１位置へ回動する。
【００８７】
以上より、レバー３０は、外部から力が作用していない状態（例えば、上記のようにユーザに把持されていない状態）において、回動可能な何れの位置（第１位置及び第２位置並びにその間の位置）にあっても、付勢部４０に付勢されることによって第１位置へ回動する。
【００８８】
［実施形態の作用効果］
【００８９】
本実施形態によれば、レバー３０は、外部から力が作用していない状態（例えばユーザに把持されていない状態）において、回動可能な何れの位置（第１位置及び第２位置並びにその間の位置）にあっても付勢部４０に付勢されることによって第１位置へ回動する。そのため、レバー３０が第２位置に保持されるようにイヤリング１０が構成されている場合よりも、レバー３０が回動する際に台座２０やレバー３０から付勢部４０へ作用する力を小さくすることができる。その結果、付勢部４０の劣化を生じにくくすることができる。
【００９０】
本実施形態によれば、板バネ部３６と底面７７という簡単な構成で、付勢部４０の機能を実現することができる。
【００９１】
本実施形態によれば、レバー３０の矢印１０６の向きの回動に応じて板バネ部３６が撓むとき、板バネ部３６は、湾曲した状態から真っ直ぐ延びた状態となるように撓む。通常、板バネ部３６は、湾曲の曲率が大きくなるように撓む程、大きな力が作用されて破損し易い。よって、本実施形態によれば、板バネ部３６は湾曲の曲率が小さくなるように撓むため、板バネ部３６の破損の可能性を低くすることができる。
【００９２】
本実施形態によれば、第２部分７０が湾曲部７９を備えているため、第３端９３の位置が第１端９１に近くなる。これにより、第３端９３から第１端９１に亘って位置するレバー３０を小型化することができる。その結果、イヤリング１０を耳に付けた状態において、耳の後側に位置するレバー３０を前から見えにくくすることができる。
【００９３】
本実施形態によれば、延出部７１が第３端９３へ向かうにしたがって第１部分６０に近づく向きに延びている。そのため、延出部７１が第３端９３へ向かうにしたがって第１部分６０から遠ざかる向きに延びているイヤリング１０よりも、イヤリング１０を小型化することができる。
【００９４】
本実施形態によれば、レバー３０は、ポリアセタール製である。ポリアセタールは、例えばポリエチレンテレフタレートよりもバネ性に優れている。そのため、レバー３０の板バネ部３６のバネ性を向上させることができる。その結果、付勢部４０の機能を最大限発揮させることができる。
【００９５】
本実施形態によれば、台座２０は、ポリエチレンテレフタレート製である。ポリエチレンテレフタレートは、例えばポリアセタールよりも硬い。そのため、台座２０の強度を強くすることができる。
【００９６】
本実施形態によれば、突出部６２が挿入可能な孔が形成されたアクセサリーを、突出部６２に取り付けることができる。
【００９７】
本実施形態によれば、凹部６１が球面によって区画されている。そのため、球状のアクセサリーを凹部６１に隙間なく嵌めることができる。
【００９８】
本実施形態によれば、貫通孔６４にアクセサリーを貫通させることにより、第１部分６０にアクセサリーを取り付けることができる。
【００９９】
本実施形態のように構成された凸部６３、３３に耳が挟まれることによって、凸部６３、３３が耳に引っ掛かる。これにより、イヤリング１０を耳から落ちにくくすることができる。
【０１００】
本実施形態によれば、台座２０が透明である。その結果、イヤリング１０を耳に付けた状態において、耳の前側に位置する台座２０を目立たなくすることができる。
【０１０１】
［変形例］
【０１０２】
上記実施形態では、レバー３０は、第１位置から矢印１０６の向きに回動することによって、第２位置まで回動可能であった。しかし、レバー３０の第１位置から矢印１０６の向きへの回動は、第２位置よりも第１位置に近い第３位置で規制されてもよい。
【０１０３】
例えば、図８に示されるように、一対の板部７２は、回動軸線１０４を中心とする円の径方向の外側へ突出したストッパ７８を備えていてもよい。そして、第１位置から矢印１０６の向きへ回動するレバー３０の本体３１の面３１Ｈがストッパ７８と当接することにより、レバー３０の回動が規制されてもよい。本体３１とストッパ７８とが当接してレバー３０の回動が規制されたときのレバー３０の位置（図８に示されるレバー３０の位置）が、第３位置である。
【０１０４】
なお、ストッパ７８は、レバー３０の矢印１０６の向きへの回動を第３位置で規制するものであれば、図８に示されたようなものに限らない。例えば、ストッパ７８は、第２部分７０の湾曲部７９から突出していてもよい。この場合、第１位置から第２位置へ向けて回動するレバー３０が第２位置へ到達する前に、板バネ部３６の先端部３６Ｂがストッパ７８に当接する。これにより、レバー３０の回動は第３位置で規制される。
【０１０５】
通常、レバー３０の第１位置からの回動量が多いほど、付勢部４０にかかる負荷が大きくなる。その結果、レバー３０の回動が繰り返されることにより、付勢部４０が劣化するおそれがある。上述した変形例（図８に例示した変形例）によれば、レバー３０の第１位置から第２位置へ向けての回動（矢印１０６の向きへの回動）は、ストッパ７８によって、第２位置よりも第１位置側の第３位置で規制される。これにより、レバー３０の回動量が減るため、付勢部４０にかかる負荷が小さくなる。その結果、レバー３０の回動が繰り返されることによる付勢部４０の劣化を低減することができる。
【０１０６】
上記実施形態では、レバー３０は切り欠き３５を備えていたが、レバー３０は切り欠き３５を備えていなくてもよい。この場合、図９に示されるように、本体３１の一部は、一対の板部７２の間に位置しており、回動軸線１０４上を一対の突起３２の一方から他方に亘って隙間なく延びている。つまり、レバー３０が台座２０に支持された状態において、本体３１は、回動軸線１０４上を一対の板部７２の一方から他方に亘って隙間なく延びている。図９に示される構成では、本体３１における一対の板部７２の間に配置された部分が、第３板部の一例である。また、図９に示される構成では、上記実施形態と同様に、一対の突起３２の各々は、一対の板部７２と対向する本体３１の一対の側面３１Ａの各々に形成されている。
【０１０７】
図９に示される構成の場合、本体３１が殆ど撓まないため、一対の突起３２が幅方向１０３に殆ど動かない。よって、レバー３０の台座２０への装着は、切り欠き３５が設けられた構成に比べて困難である。したがって、レバー３０の台座２０への装着は、治具を使用することによって行われることが望ましい。
【０１０８】
上述した変形例（図９に例示した変形例）によれば、孔７４を備える一対の板部７２が板部７３によって繋がれている。これにより、一対の板部７２は撓みにくい。また、一対の突起３２を備えるレバー３０の本体３１が、レバー３０の回動軸線１０４上を一対の板部７２の一方から他方に亘って隙間なく延びている。これにより、本体３１は撓みにくい。台座２０の一対の板部７２及びレバー３０の本体３１が撓みにくい構造であることにより、付勢部４０の強度を強くすることができる。その結果、付勢部４０の劣化を低減することができる。
【０１０９】
上記実施形態において、台座２０は、棒形状であったが、棒形状以外の形状、例えば板形状であってもよい。また、上記実施形態において、台座２０は、全体として湾曲した形状であったが、台座２０は、湾曲した形状ではなく屈曲した形状であってもよい。また、台座２０は、ポリエチレンテレフタレート以外の樹脂でもよいし、樹脂以外、例えば金属製や木製であってもよい。また、台座２０は、透明以外の色、例えば白色であってもよい。
【０１１０】
上記実施形態において、第１部分６０は、真っ直ぐ延びていた。しかし、第１部分６０は、その少なくとも一部において湾曲してしてもよいし、その少なくとも一部において屈曲していてもよい。また、上記実施形態において、第２部分７０は、湾曲していた。しかし、第２部分７０は、真っ直ぐ延びていてもよいし、その少なくとも一部において屈曲していてもよい。また、上記実施形態において、第２部分７０は、その一部（湾曲部７９）において湾曲し、残りの部分（延出部７１）において概ね真っ直ぐ延びていたが、その全体において湾曲していてもよい。また、上記実施形態において、第２部分７０は、Ｕターンするように湾曲していたが、第２部分７０の湾曲の態様は任意である。なお、第１向き１０１は、第１部分６０が延びる向きに応じて変わり、第２向き１０２は、第２部分７０が延びる向きに応じて変わる。
【０１１１】
上記実施形態において、凹部６１は、第１部分６０の第１端９１の近傍に位置していた。しかし、凹部６１は、第１部分６０の第１端９１の近傍以外に位置していてもよい。例えば、凹部６１は、第１部分６０の第２端９２の近傍に位置していてもよい。
【０１１２】
上記実施形態において、第１部分６０の第１端９１の近傍の幅方向１０３の長さＬ１は、第１部分６０の第１端９１の近傍以外の部分の幅方向１０３の長さＬ２よりも長かった。しかし、長さＬ１は、長さＬ２以下であってもよい。
【０１１３】
上記実施形態において、凹部６１は、第１面６５に位置していた。しかし、凹部６１は、第１面６５以外、例えば第１面６５及び第２面６６を繋ぐ第３面６７に位置していてもよい。なお、凹部６１の位置にかかわらず、突出部６２は、凹部６１を区画する面から突出していることが好ましい。しかし、突出部６２は、凹部６１を区画する面以外の箇所から突出していてもよい。また、凹部６１を区画する面は、球面６１Ａでなくてもよい。例えば、凹部６１は、矩形であってもよい。この場合、凹部６１は、複数の平面によって区画される。
【０１１４】
上記実施形態において、突出部６２は、球面６１Ａの最深部から突出していた。しかし、突出部６２は、球面６１Ａの最深部以外から突出していてもよい。突出部６２の突出向きは、第１面６５と直交する向き以外であってもよい。突出部６２は、棒状以外、例えば板状であってもよい。
【０１１５】
上記実施形態において、凸部６３は、突出部６２の真裏に位置していた。しかし、凸部６３は、突出部６２の真裏以外に位置していてもよい。例えば、凸部６３は、突出部６２よりも第２端９２側に位置していてもよい。
【０１１６】
上記実施形態において、貫通孔６４は、凸部６８に形成されていた。しかし、貫通孔６４は、凸部６８以外に形成されていてもよい。例えば、第１部分６０は凸部６８を備えておらず、貫通孔６４は第１部分６０を幅方向１０３に貫通していてもよい。貫通孔６４が第１部分６０を貫通する方向は、幅方向１０３以外の方向であってもよい。
【０１１７】
第１部分６０は、貫通孔６４（図１参照）を備えていなくてもよい。例えば、図１０に示されるように、第１部分６０は、第１面６５から突出しており貫通孔６４が形成された凸部６８（図１参照）を備えていなくてもよい。
【０１１８】
上記実施形態において、延出部７１の位置は、第２部分７０の第３端９３の近傍であった。しかし、延出部７１の位置は、第２部分７０の第３端９３の近傍に限らず、第３端９３側の位置（第２部分７０のうち第２端９２よりも第３端９３に近い位置）であればよい。
【０１１９】
上記実施形態において、延出部７１の一対の板部７２が孔７４を備え、レバー３０の本体３１が一対の突起３２を備えていた。しかし、上記実施形態とは逆に、延出部７１の一対の板部７２が一対の突起３２を備え、レバー３０の本体３１が孔７４を備えていてもよい。
【０１２０】
上記実施形態では、台座２０の延出部７１が一対の板部７２と、板部７３とを備えている一方で、レバー３０の本体３１が一対の板部７２の間に配置されていた。しかし、上記実施形態とは逆に、レバー３０の本体３１が一対の板部７２と、板部７３とを備えている一方で、台座２０の延出部７１が一対の板部７２の間に配置されていてもよい。この場合、延出部７１における一対の板部７２の間に配置された部分が、第３板部の一例である。
【０１２１】
上記実施形態において、第２部分７０は、湾曲部７９と延出部７１とを備えていた。しかし、第２部分７０は、湾曲部７９のみを備えていてもよい。この場合、レバー３０は、湾曲部７９における第２端９２とは反対側において湾曲部７９によって支持される。
【０１２２】
上記実施形態において、レバー３０は、板形状であったが、板形状以外の形状、例えば棒形状であってもよい。また、レバー３０は、ポリアセタール以外の樹脂でもよいし、樹脂以外、例えば金属製や木製であってもよい。また、レバー３０は、白以外の色、例えば透明であってもよい。レバー３０が透明である場合、イヤリングを耳に付けた状態において、レバー３０を目立たなくすることができる。
【０１２３】
上記実施形態において、レバー３０は、板バネ部３６によって第１位置へ付勢されていた。しかし、レバー３０を第１位置へ付勢させるための構成は、図５に示されるような板バネ部３６以外の構成であってもよい。例えば、板バネ部３６が、台座２０に設けられていてもよい。また、例えば、板バネ部３６の代わりにコイルバネなどの他の種類のバネが、レバー３０を第１位置へ付勢させるためのものとして、レバー３０または台座２０の少なくとも一方に設けられていてもよい。
【０１２４】
第１部分６０は、凹部６１、突出部６２、及び凸部６３の少なくとも一つの代わりに、または、凹部６１、突出部６２、及び凸部６３に加えて、図１１及び図１２に示されるような板部８０（第４板部の一例）を備えていてもよい。
【０１２５】
図１１及び図１２に示されるように、板部８０は、第１部分６０の第１端９１近傍に設けられている。板部８０は、概ね円板形状である。板部８０の直径Ｌ３（板部８０の幅方向１０３の長さ）は、第１部分６０の板部８０以外の部分の幅方向１０３の長さＬ２よりも長い。つまり、板部８０は、第１部分６０の板部８０以外の部分よりも幅広である。なお、板部８０は、第１部分６０の第１端９１近傍以外に設けられていてもよい。また、板部８０は、円板以外の形状であってもよい。
【０１２６】
板部８０におけるレバー３０とは反対側の面８１は、平面である。平面が向く向きは任意であるが、図１１に示される板部８０の面８１は、第１向き１０１及び幅方向１０３に拡がっている。面８１には、アクセサリーを容易に貼り付けることができる。
【０１２７】
板部８０におけるレバー３０側の面には、上記実施形態と同様に、凸部６３が形成されている。なお、凸部６３の有無は任意である。
【０１２８】
上記実施形態において、レバー３０は、正面から視て（換言すると第１向き１０１及び幅方向１０３と直交する方向に沿って視て）、図６に示されるような形状であった。しかし、レバー３０の形状は、図６に示されるような形状に限らない。
【０１２９】
例えば、図６に示されるレバー３０は、幅方向１０３の両端が長手方向１０５に沿って延びていたが、レバー３０は、図１３に示されるように、テーパ部８２を備えていてもよい。テーパ部８２は、レバー３０における本体３１の長手方向１０５の他端部３１Ｅ側、つまりレバー３０の回動基端側に形成されている。テーパ部８２の幅方向１０３の両端８３は、長手方向１０５に沿って延びておらず、長手方向１０５において当該回動基端へ向かうにしたがって（換言すると、他端部３１Ｅへ向かうにしたがって）、当該両端の間の幅方向１０３の距離が短くなるように延びている。つまり、テーパ部８２は、長手方向１０５において他端部３１Ｅへ向かうにしたがって幅狭となっている。換言すると、テーパ部８２は、他端部３１Ｅへ向かうにしたがって回動軸線１０４の方向（幅方向１０３）の長さが短くなっている。
【０１３０】
レバー３０がテーパ部８２を備える場合、レバー３０は、テーパ部８２において幅方向１０３の長さが短くなるため、小型化される。これにより、レバー３０を軽量化できる。また、レバー３０を目立たなくすることができる。
【符号の説明】
【０１３１】
１０・・・イヤリング
２０・・・台座
３０・・・レバー
３１・・・本体
３２・・・一対の突起
３３・・・凸部
３４・・・溝
３５・・・切り欠き
３６・・・板バネ部
４０・・・付勢部
５０・・・隙間
６０・・・第１部分
６１・・・凹部
６２・・・突出部
６３・・・凸部
６４・・・貫通孔
６５・・・第１面
６６・・・第２面
６７・・・第３面
７０・・・第２部分
７１・・・延出部
７２・・・一対の板部
７３・・・板部
７４・・・孔
７５・・・凹部
７６・・・一対の側面
７７・・・底面
７８・・・ストッパ
７９・・・湾曲部
８０・・・板部
８１・・・面
８２・・・テーパ部
９１・・・第１端
９２・・・第２端
９３・・・第３端
１０１・・・第１向き
１０２・・・第２向き
１０３・・・幅方向
１０４・・・回動軸線
１０５・・・長手方向
１０６・・・矢印
１０７・・・矢印